(57)【要約】【課題】本考案は、装飾品を容易に保持することができ、かつ装飾品保持具の光学的な効果により、保持される装飾品の美しさを形を変えてより増幅させることができ、装飾品と装飾品保持具が一体となって全体が美しい装飾品としてディスプレイすることができ、かつ簡単にお祀りができ、簡単に身につける事ができるディスプレイである装飾品保持具を提供することを目的とする。【解決手段】転倒円錐台からなる本体を有する装飾品保持具であって、前記本体が、少なくとも平坦な底面と、該底面に対して非平行な傾斜面からなる上面とを備え、前記本体の上面から前記本体内部に凹陥した空洞部が設けられ、前記本体の外表面に１または２以上の平坦面もしくは曲面またはこれらの組み合わせが形成されてなることを特徴とする。【選択図】図１
0003149078.tif 000002
【実用新案登録請求の範囲】
【請求項１】
透明なガラスまたはプラスチックからなる転倒円錐台からなる本体を有し、
前記本体が、平坦な底面と、該底面に対して非平行な傾斜面からなる上面とを少なくとも備え、
前記上面から前記本体の内部にかけて凹陥しており、
前記本体の外表面に１または２以上の平坦面もしくは曲面またはこれらの組み合わせが形成されてなることを特徴とする装飾品保持具。
【請求項２】
透明なガラスまたはプラスチックからなる転倒多角錐台からなる本体を有し、
前記本体が、平坦な底面と、該底面に対して非平行な傾斜面からなる上面とを少なくとも備え、
前記上面から前記本体の内部にかけて凹陥しており、
前記本体の外表面に１または２以上の平坦面もしくは曲面またはこれらの組み合わせが形成されてなることを特徴とする装飾品保持具。
【請求項３】
前記本体の内部に取り外し可能に嵌入される補助具が設けられてなることを特徴とする請求項１または２記載の装飾品保持具。
【考案の詳細な説明】
【技術分野】
【０００１】
本考案は、装飾品保持具に関する。さらに詳しくは、転倒円錐台または転倒多角錐台からなる本体を有する装飾品保持具であって、前記本体が、少なくとも平坦な底面と、該底面に対して非平行な傾斜面からなる上面とを備え、前記本体の上面から前記本体内部に凹陥した空洞部が設けられ、前記本体の外表面に１または２以上の平坦面もしくは曲面またはこれらの組み合わせが形成されてなることを特徴とする装飾品保持具に関する。
【背景技術】
【０００２】
最近、故人を偲ぶために、遺骨をパウダーにして収納するペンダントが用いられており、肌身離さず愛用されている。このようなペンダントは、デザイン性が高く、普段身に付けるだけでなく、自宅においてもディスプレイされ、故人を偲ぶ新しい手元供養のかたちである。このようなペンダントを収納するものとして、図７に示されるような、ペンダントホルダー１１が知られている。このペンダントＰは、ペンダントホルダー１１の支柱部分１２にペンダントのチェーンＣｈを巻きつけ、チェーンＣｈを巻きつけた後、支柱部分１２の上部に設けられている掛台１３の上に残りのチェーンＣｈを賭け、ペンダントＰをぶら下げるようになっている。
【考案の開示】
【考案が解決しようとする課題】
【０００３】
しかしながら、このようなペンダントはほぼ毎日身に付けるものであり、毎日ペンダントを巻きつけてディスプレイするのは煩雑である。だからと言って、引き出しの中に無造作に入れたり、机の上にそのまま置いてしまったりしては故人に失礼である。
【０００４】
また、上記ペンダントホルダーは、チェーンがあるペンダントにしか用いることができず、故人の遺品である時計や指輪、宝石などの装飾品をディスプレイすることはできない。
【０００５】
また、装飾品をディスプレイするだけでなく、装飾品をさらに引き立たせる装飾品保持具が求められている。
【０００６】
本考案は、装飾品を容易に保持することができ、かつ装飾品保持具の光学的な効果により、保持される装飾品の美しさを形を変えてより増幅させることができ、装飾品と装飾品保持具が一体となって全体が美しい装飾品としてディスプレイすることができ、かつ簡単にお祀りができ、簡単に身につける事ができるディスプレイである装飾品保持具を提供することを目的とする。
【課題を解決するための手段】
【０００７】
本考案の装飾品保持具は、透明なガラスまたはプラスチックからなる転倒円錐台からなる本体を有し、前記本体が、平坦な底面と、該底面に対して非平行な傾斜面からなる上面とを少なくとも備え、前記上面から前記本体の内部にかけて凹陥しており、前記本体の外表面に１または２以上の平坦面もしくは曲面またはこれらの組み合わせが形成されてなることを特徴とする。
【０００８】
本考案の装飾品保持具は、透明なガラスまたはプラスチックからなる転倒多角錐台からなる本体を有し、前記本体が、平坦な底面と、該底面に対して非平行な傾斜面からなる上面とを少なくとも備え、前記上面から前記本体の内部にかけて凹陥しており、前記本体の外表面に１または２以上の平坦面もしくは曲面またはこれらの組み合わせが形成されてなることを特徴とする。
【０００９】
また、前記本体の内部に取り外し可能に嵌入される補助具が設けられてなることが好ましい。
【考案の効果】
【００１０】
本考案の装飾品保持具は、装飾品を容易に保持することができ、かつ装飾品保持具の光学的な効果により、保持される装飾品の美しさを、形を変えてより増幅させることができ、装飾品と装飾品保持具が一体となって全体が美しい装飾品としてディスプレイすることができ、かつ簡単にお祀りができ、簡単に身につける事ができる。
【００１１】
また、装飾品保持具の本体の空洞部に補助具を入れることにより、装飾品保持具内での装飾品の高さを調節することができる。
【考案を実施するための最良の形態】
【００１２】
以下、添付図面を参照し、本考案の装飾品保持具を詳細に説明する。図１は本考案の装飾品保持具の斜視図であり、図２は本考案の装飾品保持具の断面図であり、図３は本考案の装飾品保持具の外表面の断面拡大図であり、図４は本考案の装飾品保持具の使用状態を示す図であり、図５は本考案の装飾品保持具に用いられる補助具を説明するための図であり、図６は本考案の装飾品保持具および補助具の使用状態を示す図である。
【００１３】
図１および図２を参照すると、本考案の装飾品保持具は、転倒多角錐台からなる本体１からなり、本体１が、少なくとも平坦な底面１ａと、該底面１ａに対して非平行な傾斜面からなる上面１ｂとを備えている。本体は、図１においては、転倒多角錐台であるが、転倒円錐台であっても構わない。なお、本明細書における転倒多角錐台または転倒円錐台とは、多角錐または円錐台を上下ひっくり返したものをいう。
【００１４】
本体１は、透明なガラス製であり、透明度が高いクリスタルガラスまたは光学ガラスであることが好ましい。また、本体１は透明なプラスチック製であってもかまわない。本体１の底面１ａと上面１ｂとの角度は、特に限定されるものではないが、２０〜７０度であることが好ましい。
【００１５】
本体１の上面１ｂからは、本体１内部に凹陥した空洞部２が設けられている。当該空洞部２には、図４に示されるように、時計、宝石、指輪などの装飾品Ｄが収納される。空洞部２の深さ、大きさは、装飾品Ｄが収納可能な深さ、大きさであれば特に限定されることはないが、空洞部２の表面から本体１の外表面１ｃまでの厚さを厚くすることにより、重厚感を増すことができ、倒れにくく安定する。本考案の装飾品保持具は、空洞部２内に、遺品等の装飾品を入れるので、保持具が倒れて中の物が逸失されてしまうと、他の物とは替えがきかないので、厚肉にすることにより、保持具自体が倒れることを防止し、装飾品の紛失を防ぐことができる。空洞部２の表面から本体１の外表面１ｃまでの厚さと本体１の幅または直径との比率は、たとえば１／１０〜１／４であることが好ましい。また、厚肉にし、さらに倒れにくくするために、本体１の材質をガラスにすることが好ましい。また、本体１の底面１ａの直径または幅と本体１の高さの比率は、１／２〜１／４とすることが好ましい。
【００１６】
本体１の側面である外表面１ｃには、１または２以上の平坦面もしくは曲面またはこれらの組み合わせが形成される。図１に示されるように、外表面１ｃの全体にわたって平坦面を設けることもできるし、外表面１ｃの一部、たとえば少なくとも外表面１ｃの正面領域（外表面１ｃの底面１ａからの高さが低い領域）に平坦面もしくは曲面またはこれらの組み合わせが形成されていればよい。このような平坦面、曲面が形成されることにより、ガラスの屈折率により、外表面１ｃの正面領域を通して装飾品Ｄが美しく見え、装飾品Ｄと装飾品保持具が一体となって美しいディスプレイとして機能する。
【００１７】
外表面１ｃに形成される平坦面または曲面としては、図３（ａ）のような平坦面Ｆ、図３（ｂ）のように本体１の内面側に湾曲した曲面Ｃ１、図３（ｃ）のように本体１の外側に湾曲した曲面Ｃ２とすることが可能であり、図３（ａ）〜（ｃ）の組み合わせであってもよい。また、図１に示されるように、本体１の外表面１ｃの全てにわたって、平坦面を形成することができる。この場合、本体１の水平断面は、多角形となり、たとえば３〜４８角形とすることができる。
【００１８】
つぎに本考案の装飾品保持具に用いられる補助具３について説明する。図５に示されるように補助具３は、本体１の空洞部２内に取り外し可能に嵌入される。補助具３を用いることにより、装飾品保持具内での装飾品Ｄのディスプレイ位置の高さを調節することができる。たとえば、図６に示されるように、装飾品Ｄを直接目に見える位置に調節することができる。また、取り外しが可能であるので、ディスプレイする装飾品Ｄに応じて高さを調節することができ、複数の種類の装飾品に対応が可能である。
【００１９】
補助具３は、転倒円錐台状の土台部の上方に略円柱状の支持部が延設されており、該支持部の上面は、傾斜面となっている。補助具３は、高さを調節できる形状であれば特に限定されないが、図５および図６に示されるように、装飾品Ｄを立てかけた場合に、立ちやすいように、補助具３の上面３ａは、傾斜面が形成されることが好ましく、外表面１ｃの正面領域１ｄ側が高くなっており、外表面１ｃの背面領域１ｅ（外表面１ｃの底面１ａからの高さが高い領域）側が低くなるように装着される。
【００２０】
補助具３の材質は、本体や遺品に傷をつけないアクリルが好ましい。
【図面の簡単な説明】
【００２１】
【図１】本考案の装飾品保持具の斜視図である。
【図２】本考案の装飾品保持具の断面図である。
【図３】本考案の装飾品保持具の外表面の断面拡大図である。
【図４】本考案の装飾品保持具の使用状態を示す図である。
【図５】本考案の装飾品保持具に用いられる補助具を説明するための図である。
【図６】本考案の装飾品保持具および補助具の使用状態を示す図である。
【図７】従来の装飾品ホルダーを示す図である。
【符号の説明】
【００２２】
１  本体
１ａ  底面
１ｂ、３ａ  上面
１ｃ  外表面
１ｄ  正面領域
１ｅ  背面領域
２  空洞部
３  補助具
【図１】
0003149078.tif 000003
【図２】
0003149078.tif 000004
【図３】
0003149078.tif 000005
【図４】
0003149078.tif 000006
【図５】
0003149078.tif 000007
【図６】
0003149078.tif 000008
【図７】
0003149078.tif 000009